(57)【要約】【課題】苗植付装置の姿勢切り換え時に、案内管における上手側管部と下手側管部の分離側端部同士やそれらの支持部材同士が不適切に接触して損傷する不都合や、上手側管部と下手側管部の分離側端部同士の接続が不十分になる不都合を回避できるようにする。【解決手段】左右の苗植付部１４を前向きにして連結した作業姿勢から分離して左右向きに変更した格納姿勢への苗植付装置４の姿勢切り換え操作に連動して、走行機体１側の貯留部３９から左右の苗植付部１４にわたる複数の案内管４４の上手側管部４５の分離側端部４７を走行機体１側に変位させて、対応する下手側管部４６の分離側端部４８から離間し、かつ、格納姿勢から作業姿勢への姿勢切り換え操作に連動して、上手側管部４５の分離側端部４７を苗植付装置４側に変位させて下手側管部４６の分離側端部４８に接続する連動機構６０を設けた。【選択図】        図２
2004154072.tif 000002
【特許請求の範囲】
【請求項１】
走行機体の後部に連結した苗植付装置を、左右の苗植付部に分離してそれらの向きを左右向きに変更した格納姿勢と、前記左右の苗植付部を前向きに変更して連結した作業姿勢とに姿勢切り換え可能に構成するとともに、該走行機体に装備した貯留部内の貯留物を、該貯留部から前記左右の苗植付部にわたる複数の案内管を介して圃場に供給する供給装置を装備してある乗用形田植機であって、
前記案内管のそれぞれを、前記走行機体と前記苗植付装置との間で上手側管部と下手側管部とに分離可能に構成し、前記左右の苗植付部に、前記苗植付装置の前記作業姿勢から前記格納姿勢への姿勢切り換え操作に連動して、前記上手側管部の分離側端部を前記走行機体側に変位させて前記下手側管部の分離側端部から離間し、かつ、前記苗植付装置の前記格納姿勢から前記作業姿勢への姿勢切り換え操作に連動して、前記上手側管部の分離側端部を前記苗植付装置側に変位させて前記下手側管部の分離側端部に接続する連動機構を設けてある乗用形田植機。
【請求項２】
前記苗植付装置を、前記格納姿勢では前記左右の苗植付部が対向するように構成し、前記連動機構が、前記苗植付装置の姿勢切り換え操作に連動して、前記苗植付装置の左右中央部に配置された案内管以外の左右両外側部に配置された案内管を変位させるように構成してある請求項１に記載の乗用形田植機。
【発明の詳細な説明】
【０００１】
【発明の属する技術分野】
本発明は、走行機体の後部に連結した苗植付装置を、左右の苗植付部に分離してそれらの向きを左右向きに変更した格納姿勢と、前記左右の苗植付部を前向きに変更して連結した作業姿勢とに姿勢切り換え可能に構成するとともに、該走行機体に装備した貯留部内の貯留物を、該貯留部から前記左右の苗植付部にわたる複数の案内管を介して圃場に供給する供給装置を装備してある乗用形田植機に関する。
【０００２】
【従来の技術】
従来、上記のような乗用形田植機においては、走行機体にリンク機構を介して連結された固定フレームに対して、その左右両端に上下向きの支軸周りに揺動可能に連結された第１揺動フレームと、それらの遊端に上下向きの支軸周りに天秤揺動可能に連結された第２揺動フレームとを揺動変位させることで、苗植付装置を作業姿勢と格納姿勢とに切り換えられるように構成し、又、走行機体に装備したホッパー内の肥料を複数のホースなどを介して圃場に供給する施肥装置を供給装置として装備し、更に、各ホースを、走行機体側と苗植付装置側とに分離可能に構成するとともに、固定フレームに固定装備された第１支持板によって走行機体側のホースにおける分離側の端部を支持し、かつ、第２揺動フレームに固定装備された第２支持板によって苗植付装置側のホースにおける分離側の端部を支持するようにしたものがあった（例えば特許文献１参照。）。
【０００３】
【特許文献１】
特開２００２−２３８３１６号公報（段落番号００２１、００３３−００３８、図１−４、７、８、１１−１３）
【０００４】
【発明が解決しようとする課題】
上記の従来技術によると、各ホースを接続した状態のままで苗植付装置の姿勢を切り換えていた場合に生じる虞のあるホースの絡み付きや疲労によるホースの損傷を防止することができるのであるが、苗植付装置の格納姿勢から作業姿勢への姿勢切り換えに連動したホース接続の円滑化やホース接続保持の確実化を図るために苗植付装置の作業姿勢では互いに接近するように配置されている第１支持板と第２支持板とを、固定フレームや第２揺動フレームに固定装備したことによって、苗植付装置の姿勢を切り換える際の第１揺動フレームと第２揺動フレームとの連動揺動において、それらの揺動タイミングに組み付け誤差などに起因したズレが生じた場合に、苗植付装置の姿勢切り換えの際に左右の苗植付部とともに変位する苗植付装置側のホースや第２支持板が、苗植付装置を作業姿勢から格納姿勢に切り換える際の姿勢切り換え開始直後や、苗植付装置を格納姿勢から作業姿勢に切り換える際の姿勢切り換え終了間際に、走行機体側のホースや第１支持板に不適切に接触する虞があり、その接触が生じた場合には、ホースや支持板が損傷する不都合や各ホースの接続が不十分になる不都合などを招くようになっていた。
【０００５】
本発明の目的は、苗植付装置の姿勢を切り換える際に、案内管の苗植付装置側となる下手側管部の分離側端部や支持部材が走行機体側となる上手側管部の分離側端部や支持部材に不適切に接触して損傷する不都合や、上手側管部の分離側端部と下手側管部の分離側端部との接続が不十分になる不都合などの発生を回避できるようにすることにある。
【０００６】
【課題を解決するための手段】
〔構成〕
上記目的を達成するため、本発明のうちの請求項１に記載の発明では、走行機体の後部に連結した苗植付装置を、左右の苗植付部に分離してそれらの向きを左右向きに変更した格納姿勢と、前記左右の苗植付部を前向きに変更して連結した作業姿勢とに姿勢切り換え可能に構成するとともに、該走行機体に装備した貯留部内の貯留物を、該貯留部から前記左右の苗植付部にわたる複数の案内管を介して圃場に供給する供給装置を装備してある乗用形田植機において、前記案内管のそれぞれを、前記走行機体と前記苗植付装置との間で上手側管部と下手側管部とに分離可能に構成し、前記左右の苗植付部に、前記苗植付装置の前記作業姿勢から前記格納姿勢への姿勢切り換え操作に連動して、前記上手側管部の分離側端部を前記走行機体側に変位させて前記下手側管部の分離側端部から離間し、かつ、前記苗植付装置の前記格納姿勢から前記作業姿勢への姿勢切り換え操作に連動して、前記上手側管部の分離側端部を前記苗植付装置側に変位させて前記下手側管部の分離側端部に接続する連動機構を設けた。
【０００７】
〔作用〕
上記請求項１に記載の発明によると、苗植付装置を作業姿勢から格納姿勢に切り換える際には、その操作に連動して、連動機構が、上手側管部の分離側端部を下手側管部の属する苗植付装置とは反対側の走行機体側、つまり、下手側管部の分離側端部に対する分離方向に向けて変位させることによって、上手側管部の分離側端部を下手側管部の分離側端部から離間させるようになることから、上手側管部の分離側端部を下手側管部の分離側端部から円滑かつ速やかに分離させることができるようになる。
【０００８】
逆に、苗植付装置を格納姿勢から作業姿勢に切り換える際には、その操作に連動して、連動機構が、上手側管部の分離側端部を下手側管部の属する苗植付装置側、つまり、下手側管部の分離側端部に対する接続方向に向けて変位させることによって、上手側管部の分離側端部を下手側管部の分離側端部に接続するようになることから、上手側管部の分離側端部を下手側管部の分離側端部に円滑かつ速やかに接続することができるようになる。
【０００９】
又、上手側管部の分離側端部を支持する上手側支持部材と下手側管部の分離側端部を支持する下手側支持部材とを、苗植付装置の格納姿勢から作業姿勢への姿勢切り換えに連動したホース接続の円滑化やホース接続保持の確実化を図るために、苗植付装置の作業姿勢において互いに接近するように配置しても、連動機構の作用によって、苗植付装置を作業姿勢から格納姿勢に切り換える際の姿勢切り換え開始直後や、苗植付装置を格納姿勢から作業姿勢に切り換える際の姿勢切り換え終了間際においても、上手側管部と下手側管部の分離側端部同士及び支持部材同士が比較的大きく離間するようになることから、苗植付装置の姿勢切り換えの際に、左右の苗植付部とともに変位する下手側管部の分離側端部や下手側支持部材が、上手側管部の分離側端部や上手側支持部材に不適切に接触する虞を回避できるようになる。
【００１０】
〔効果〕
従って、苗植付装置の姿勢切り換えに連動した案内管における上手側管部の分離側端部と下手側管部の分離側端部との着脱を円滑かつ速やかに行える上に、苗植付装置の姿勢切り換えの際に、下手側管部の分離側端部や下手側支持部材が上手側管部の分離側端部や上手側支持部材に不適切に接触して案内管や支持部材が損傷する不都合や、上手側管部の分離側端部と下手側管部の分離側端部との接続が不十分になる不都合などの発生を回避できるようになり、もって、苗植付装置の姿勢切り換えをより容易かつ良好に行えるようになった。
【００１１】
〔構成〕
本発明のうちの請求項２に記載の発明では、上記請求項１に記載の発明において、前記苗植付装置を、前記格納姿勢では前記左右の苗植付部が対向するように構成し、前記連動機構が、前記苗植付装置の姿勢切り換え操作に連動して、前記苗植付装置の左右中央部に配置された案内管以外の左右両外側部に配置された案内管を変位させるように構成した。
【００１２】
〔作用〕
上記請求項２に記載の発明によると、苗植付装置の格納姿勢では左右の苗植付部が対向するように構成したことで、苗植付装置の左右中央部に位置する案内管における下手側管部の分離側端部が、苗植付装置を作業姿勢から格納姿勢に切り換える際には、その姿勢切り換え開始とともに上手側管部の分離側端部から離間する方向に大きく変位し、逆に、苗植付装置を格納姿勢から作業姿勢に切り換える際には、その姿勢切り換え終了間際に上手側管部の分離側端部に向かう方向に大きく変位するようになることから、苗植付装置の左右中央部に位置する上手側管部の分離側端部を苗植付装置の姿勢切り換えに連動して変位させなくても、苗植付装置の姿勢切り換えの際に、下手側管部の分離側端部や下手側支持部材が上手側管部の分離側端部や上手側支持部材に不適切に接触する虞を回避できるようになり、これによって、苗植付装置の姿勢切り換えに連動して分離側端部を変位させる必要のある上手側管部の数量を削減することができ、それらの変位を可能にするための構造の簡素化を図れるようになる。
【００１３】
〔効果〕
従って、苗植付装置の姿勢切り換えに連動した案内管における上手側管部の分離側端部と下手側管部の分離側端部との着脱を円滑かつ速やかに行える上に、苗植付装置の姿勢切り換えの際に、下手側管部の分離側端部や下手側支持部材が上手側管部の分離側端部や上手側支持部材に不適切に接触して案内管や支持部材が損傷する不都合や、上手側管部の分離側端部と下手側管部の分離側端部との接続が不十分になる不都合などの発生を回避できるようにしながらも、構造の簡素化を図れるようになった。
【００１４】
【発明の実施の形態】
図１には乗用形田植機の全体側面が示されており、この田植機は、乗用形に形成された走行機体１の後部に、油圧式のリフトシリンダ２の作動で昇降揺動するリンク機構３を介して苗植付装置４を駆動昇降可能に連結し、かつ、施肥装置（供給装置の一例）５を装備することによって構成されている。
【００１５】
走行機体１は、その前部に搭載されたエンジン６からの走行用動力を、静油圧式無段変速装置７やギヤ式変速装置８などを介して、左右の前輪９及び後輪１０に伝達する四輪駆動形式に構成され、その中央部には、左右の前輪９を操向するステアリングホイール１１や運転座席１２などを備えた搭乗運転部１３が形成されている。
【００１６】
図１〜６に示すように、苗植付装置４は、左右の苗植付部１４に分離してそれらの向きを左右向きに変更して対向させた格納姿勢と、左右の苗植付部１４を前向きに変更して連結した作業姿勢とに姿勢切り換え可能に構成された１０条植え用のものであり、格納姿勢に切り換えた状態では、その左右幅を走行機体１の左右幅と略同じになる程度まで減少させることができ、これによって、１０条植え用のものでありながら、トラックにその荷台の左右幅内に収まる状態に積載して輸送することができるようになっている。
【００１７】
左右の苗植付部１４は、それらの主フレーム１５が、リンク機構３の後部に連結される固定フレーム１６の両端部にそれぞれ上下向きの第１支軸１７周りに揺動可能に連結された左右の揺動フレーム１８のうちの対応するものの遊端に、上下向きの第２支軸１９周りに天秤揺動可能に連結され、対応する主フレーム１５と揺動フレーム１８とが、苗植付装置４を作業姿勢から格納姿勢に切り換える際には、主フレーム１５の内端側を後方に向けて変位させる主フレーム１５の揺動操作に連動して揺動フレーム１８が半減した速度で後方に向けて揺動し、又、苗植付装置４を格納姿勢から作業姿勢に切り換える際には、主フレーム１５の後端側を前内方に向けて変位させる主フレーム１５の揺動操作に連動して揺動フレーム１８が半減した速度で前外方に向けて揺動するように、チェーン式連動機構２０を介して連動連結されている。
【００１８】
固定フレーム１６には、走行機体１からの作業用動力を苗植付装置４に伝達する伝動軸２１が支持されており、苗植付装置４の姿勢を切り換える際には、その操作に伴って右側の苗植付部１４に装備した動力分配機構２２の入力軸２３が伝動軸２１に着脱されるとともに、動力分配機構２２の出力軸２４が左側の苗植付部１４に属する動力供給機構２５の入力軸２６に着脱されるようになっている。
【００１９】
左側の苗植付部１４は、その動力供給機構２５に伝達された動力が、横送り機構２７、縦送り機構２８、及び２つの植付伝動機構２９に分配供給され、各植付伝動機構２９からそれらの後端部に装備された左右の植付機構３０に伝達されるようになっている。
【００２０】
右側の苗植付部１４は、その動力分配機構２２から動力供給機構２５に伝達された動力が、縦送り機構２８と３つの植付伝動機構２９に分配供給され、各植付伝動機構２９からそれらの後端部に装備された左右の植付機構３０に伝達されるようになっている。
【００２１】
左側の苗植付部１４には、３条分の整地を行う第１整地フロート３１、２条分の整地を行う第２整地フロート３２、及び、４条分の苗を載置する苗載台３３が装備され、右側の苗植付部１４には、３条分の整地を行う第１整地フロート３１、２条分の整地を行う第２整地フロート３２、及び、６条分の苗を載置する苗載台３３が装備されている。左右の苗載台３３は、対応する主フレーム１５から立設された支持枠３４に左右摺動可能に支持されるとともに、苗植付装置４を作業姿勢に切り換えた状態では一体摺動可能に連結されるようになっている。
【００２２】
上記の構成から、苗植付装置４は、作業姿勢に切り換えた状態では、機体の走行に伴って４つの整地フロート３１，３２が苗植え付け箇所を前もって整地する一方で、横送り機構２７の作動によって左右の苗載台３３が左右方向に一定ストロークで一体的に往復駆動され、縦送り機構２８の作動によって、左右の苗載台３３が左右のストロークエンドに到達するごとに各苗載台３３に載置されたマット状苗が縦送りされ、かつ、各植付機構３０が、対応する苗載台３３の下端から苗を所定量ずつ取り出して圃場に植え付ける苗植え付け作動を行うようになり、又、格納姿勢に切り換えた状態では、４条の左苗植付部１４と６条の右苗植付部１４とに分割されるようになっている。
【００２３】
図１、図２及び図７〜１０に示すように、施肥装置５は、ギヤ式変速装置８から後輪用伝動装置３５にわたる伝動軸３６に装備された動力取出機構３７によって取り出された走行用動力が、ワンウェイクラッチ３８などを介して、走行機体１の後部にホッパー（貯留部の一例）３９とともに載置された５つの繰出機構４０に伝達されることで、各繰出機構４０がホッパー３９から２条分ずつの肥料を繰り出し、その繰り出された肥料を、電動式のブロア４１の作動により、各繰出機構４０の排出口４２から各整地フロート３１，３２における各植付機構３０の横近傍箇所に配備された各作溝器４３にわたる各案内ホース（案内管の一例）４４を介して圧送することで、各植付機構３０によって植え付けられた苗の横側近傍に施肥するように構成されている。
【００２４】
各案内ホース４４は、走行機体１と苗植付装置４との間において、繰出機構４０に接続された上手側管部４５と作溝器４３に接続された下手側管部４６とに分離可能に構成され、上手側管部４５の分離側端部４７と下手側管部４６の分離側端部４８とが、苗植付装置４の姿勢切り換えに連動して着脱されるようになっている。
【００２５】
図１〜３、図５、図６及び図８〜１３に示すように、固定フレーム１６の左右両端には、左右向きの支軸４９を介して前後揺動可能に支持された揺動アーム５０が立設され、それらの上端部には、１０本の案内ホース４４のうちの対応する左右各４本の案内ホース４４における上手側管部４５の分離側端部４７をゴム製のブーツ５１を介して支持する横長で板金製の上手側支持部材５２が溶接装備されている。又、固定フレーム１６の左右中央には、左右一対の縦長で板金製の上手側支持部材５３が立設され、それらの上端部に、左右中央に位置する２本の案内ホース４４のうちの対応する案内ホース４４における上手側管部４５の分離側端部４７がゴム製のブーツ５１を介して支持されている。
【００２６】
一方、左右の各苗植付部１４における支持枠３４の上端部には、１０本の案内ホース４４のうちの対応する左右各４本の案内ホース４４における下手側管部４６の分離側端部４８をゴム製のブーツ５４を介して支持する板金製の下手側支持部材５５と、左右中央に位置する２本の案内ホース４４のうちの対応する案内ホース４４における下手側管部４６の分離側端部４８をゴム製のブーツ５４を介して支持する板金製の下手側支持部材５６とが溶接装備されている。
【００２７】
固定フレーム１６側の左右の上手側支持部材５２には、左右向きの係止ピン５７が装備され、左右の支持枠３４に装備された下手側支持部材５５には、後窄まり形状の凹部が形成された係合片５８が立設されている（図３参照）。又、下手側管部４６に装着されるブーツ５４はその上部が蛇腹状に形成され、その上端部にはリング状の磁石５９が装着されている（図１３参照）。
【００２８】
左右の各揺動アーム５０の基端部には、苗植付装置４の作業姿勢から格納姿勢への姿勢切り換え操作に連動して、対応する左右４本の案内ホース４４における上手側管部４５の分離側端部４７と上手側支持部材５２とを、走行機体１側に変位させて対応する下手側管部４６の分離側端部４８や下手側支持部材５５から離間させ、かつ、苗植付装置４の格納姿勢から作業姿勢への姿勢切り換え操作に連動して、対応する左右４本の案内ホース４４における上手側管部４５の分離側端部４７と上手側支持部材５２とを苗植付装置４側に変位させて、各上手側管部４５の分離側端部４７を対応する下手側管部４６の分離側端部４８に接続し、かつ、上手側支持部材５２を対応する下手側支持部材５５に接近させるとともに、それらの対応する係止ピン５７と係合片５８とを係合させる連動機構６０が装備されている。
【００２９】
各連動機構６０は、固定フレーム１６に上下向きの支軸６１周りに揺動可能に装備された天秤アーム６２、この天秤アーム６２の一端を対応する揺動フレーム１８側に揺動付勢する付勢バネ６３、この付勢バネ６３の付勢による天秤アーム６２の揺動を固定フレーム１６との接当で規制するストッパ６４、及び、天秤アーム６２の他端を対応する揺動アーム５０の基端部に連動連結する連係バネ６５、などによって構成されており、苗植付装置４が作業姿勢から格納姿勢に切り換えられる際には、左右の各揺動フレーム１８が後方に向けて揺動するのに伴って、左右の天秤アーム６２が付勢バネ６３の付勢によって追従揺動するとともに連係バネ６５を介して左右の揺動アーム５０を走行機体１側に押し出すことによって、対応する左右４本の案内ホース４４における上手側管部４５の分離側端部４７と上手側支持部材５２とを走行機体１側に変位させ、又、苗植付装置４が格納姿勢から作業姿勢に切り換えられる際には、左右の各揺動フレーム１８が前方に向けて揺動するのに伴って、左右の天秤アーム６２が付勢バネ６３の付勢に抗する方向に対応する揺動フレーム１８によって押し出されるとともに連係バネ６５を介して左右の揺動アーム５０を苗植付装置４側に引き込むことによって、対応する左右４本の案内ホース４４における上手側管部４５の分離側端部４７と上手側支持部材５２とを苗植付装置４側に変位させるようになっている。
【００３０】
以上の構成から、苗植付装置４を作業姿勢から格納姿勢に切り換える際には、その操作によって、左右の揺動フレーム１８が後方に向けて揺動するとともに、左右の主フレーム１５が対応する揺動フレーム１８の揺動方向と反対方向に揺動することで、苗植付装置４の左右中央に位置する２本の案内ホース４４における下手側管部４６の分離側端部４８と、それらを支持する右側の下手側支持部材５５における左側の端部とが、その姿勢切り換え開始とともに対応する上手側管部４５の分離側端部４７や上手側支持部材５３から離間する方向に大きく変位するようになり、又、その操作に連動して、左右の連動機構６０が、対応する左右各４本の案内ホース４４における上手側管部４５の分離側端部４７と、それらを支持する左右の上手側支持部材５２とを走行機体１側に向けて変位させることによって、それら上手側管部４５の分離側端部４７や支持板５２が、その姿勢切り換え開始直後から、対応する下手側管部４６の分離側端部４８や下手側支持部材５５から比較的大きく離間するようになることから、苗植付装置４の作業姿勢から格納姿勢への姿勢切り換えの際に、左右の苗植付部１４とともに変位する下手側管部４６の分離側端部４８や下手側支持部材５５，５６が、上手側管部４５の分離側端部４７や上手側支持部材５２，５３に不適切に接触する虞を回避できるようになっている。
【００３１】
又、苗植付装置４を格納姿勢から作業姿勢に切り換える際には、その操作によって、左右の揺動フレーム１８が前方に向けて揺動するとともに、左右の主フレーム１５が対応する揺動フレーム１８の揺動方向と反対方向に揺動することで、苗植付装置４の左右中央に位置する２本の案内ホース４４における下手側管部４６の分離側端部４８と、それらを支持する右側の下手側支持部材５５における左側の端部とが、その姿勢切り換え終了間際において対応する上手側管部４５の分離側端部４７や上手側支持部材５３に向けて大きく変位するようになり、又、その操作に連動して、左右の連動機構６０が、対応する左右各４本の案内ホース４４における上手側管部４５の分離側端部４７と、それらを支持する左右の上手側支持部材５２とを苗植付装置４側に向けて変位させることによって、それら上手側管部４５の分離側端部４７や支持板５２が、その姿勢切り換え終了間際においても、対応する下手側管部４６の分離側端部４８や下手側支持部材５５から比較的大きく離間するようになることから、苗植付装置４の格納姿勢から作業姿勢への姿勢切り換えの際に、左右の苗植付部１４とともに変位する下手側管部４６の分離側端部４８や下手側支持部材５５，５６が、上手側管部４５の分離側端部４７や上手側支持部材５２，５３に不適切に接触する虞を回避できるようになっている。
【００３２】
しかも、苗植付装置４の作業姿勢から格納姿勢への姿勢切り換え操作に連動して連動機構６０が上手側管部４５の分離側端部４７を変位させる方向が、下手側管部４６の分離側端部４８に対する分離方向であることから、上手側管部４５の分離側端部４７を下手側管部４６の分離側端部４８から円滑かつ速やかに分離させることができ、又、苗植付装置４の格納姿勢から作業姿勢への姿勢切り換え操作に連動して連動機構６０が上手側管部４５の分離側端部４７を変位させる方向が、下手側管部４６の分離側端部４８に対する接続方向であることから、上手側管部４５の分離側端部４７を下手側管部４６の分離側端部４８に円滑かつ速やかに接続できるようになっている。
【００３３】
更に、下手側管部４６に装着されるブーツ５４の上部を蛇腹状に形成し、その上端部にリング状の磁石５９を装着し、更に、左右の上手側支持部材５２には左右向きの係止ピン５７を装備し、対応する係止ピン５７と係合する係合片５８を左右の下手側支持部材５５に立設したことで、上手側管部４５の分離側端部４７と下手側管部４６の分離側端部４８とが分離される際には、上手側支持部材５２，５３に対する磁石５９の吸着作用によって、ブーツ５４の上部が分離方向に十分に引き伸ばされた後に上手側管部４５の分離側端部４７と下手側管部４６の分離側端部４８とが分離されるようになり、これによって、上手側管部４５の分離側端部４７と下手側管部４６の分離側端部４８とが接続される際には、ブーツ５４の上部が上手側管部４５の分離側端部４７を迎える状態になっていることから、上手側管部４５の分離側端部４７と下手側管部４６の分離側端部４８との接続をより円滑に行えるようになり、又、上手側管部４５の分離側端部４７と下手側管部４６の分離側端部４８とが接続される際には、ブーツ５４の磁石５９が上手側管部４５の分離側端部４７に外嵌した後に上手側支持部材５２，５３に吸着し、その後、上手側支持部材５２，５３と下手側支持部材５５とが互いにブーツ５４の上部を押し縮めながら接近して左右の係止ピン５７と係合片５８とを係合させることから、上手側管部４５の分離側端部４７と下手側管部４６の分離側端部４８とを接続した状態では、上手側支持部材５２，５３と下手側支持部材５５とがブーツ５４の上部を挟み込んだ状態で互いの上下変位が阻止されるようになり、もって、上手側管部４５の分離側端部４７と下手側管部４６の分離側端部４８との接続を強固にすることができて、接続箇所からの雨水などの浸入を確実に阻止できるようになっている。
【００３４】
尚、図２、図３、図１１及び図１２に示す符号６６は、揺動アーム５０との接当で揺動アーム５０の前方への倒伏を規制するストッパである。
【００３５】
〔別実施形態〕
以下、本発明の別実施形態を列記する。
〔１〕乗用形田植機としては、８条植え用や１２条植え用などに構成されたものであってもよい。
〔２〕苗植付装置４としては、同じ条数で左右に分割されるように構成されたものであってもよい。
〔３〕供給装置５としては、薬剤散布装置や直播装、あるいは、ペースト状の肥料を供給する施肥装置などであってもよい。
【図面の簡単な説明】
【図１】乗用形田植機の全体側面図
【図２】苗植付装置の側面図
【図３】苗植付装置の要部の正面図
【図４】苗植付装置の伝動構成を示す要部の平面図
【図５】苗植付装置の作業姿勢を示す平面図
【図６】苗植付装置の格納姿勢を示す平面図
【図７】施肥装置の背面図
【図８】苗植付装置を作業姿勢に切り換えた状態での各案内ホースの状態を示す概略平面図
【図９】苗植付装置の姿勢切り換え途中での各案内ホースの状態を示す概略平面図
【図１０】苗植付装置を格納姿勢に切り換えた状態での各案内ホースの状態を示す概略平面図
【図１１】（イ）苗植付装置を作業姿勢に切り換えた状態での連動機構の状態を示す要部の横断平面図
（ロ）苗植付装置を作業姿勢から変位させた状態での連動機構の状態を示す要部の横断平面図
【図１２】連動機構の構成を示す要部の縦断側面図
【図１３】（イ）案内ホースの接続状態を示す要部の縦断側面図
（ロ）案内ホースの分離状態を示す要部の縦断側面図
【符号の説明】
１    走行機体
４    苗植付装置
５    供給装置
１４  苗植付部
３９  貯留部
４４  案内管
４５  上手側管部
４６  下手側管部
４７  分離側端部
４８  分離側端部
６０  連動機構
【図１】
2004154072.tif 000003
【図２】
2004154072.tif 000004
【図３】
2004154072.tif 000005
【図４】
2004154072.tif 000006
【図５】
2004154072.tif 000007
【図６】
2004154072.tif 000008
【図７】
2004154072.tif 000009
【図８】
2004154072.tif 000010
【図９】
2004154072.tif 000011
【図１０】
2004154072.tif 000012
【図１１】
2004154072.tif 000013
【図１２】
2004154072.tif 000014
【図１３】
2004154072.tif 000015